(57)【要約】【課題】比較的に弱い力でも装着でき、係合部と係止部の噛合を確実として、強い力で引っ張られても抜けることがない牛の鼻輪を提供する。【解決手段】Ｃ字状部（２）の一端に穿刺部（３）を他端に太径部（４）を形成し、穿刺部（３）には細径部（７）と、係合部（８）と、穿刺杆（９）が設けられ、太径部（４）には穿刺杆（９）が挿入する挿入孔（１２）と、穿刺部（３）の係合部（８）が係止される係止部（１３）と、穿刺杆（９）の収納部（１４）が設けられ、そして挿入孔（１２）の壁面（１６）には複数のＵ字溝（１７）が形成されている。【選択図】図１
2010088397.tif 000002
【特許請求の範囲】
【請求項１】
Ｃ字状部の一端に穿刺部を他端に太径部を形成し、穿刺部には細径部と、係合部と、穿刺杆が設けられ、太径部には穿刺杆が挿入する挿入孔と、係合部を係止する係止部と、穿刺杆の収納部が設けられ、そして太径部の挿入孔の壁面には複数のＵ字溝が形成されていることを特徴とする牛の鼻輪。
【請求項２】
前記穿刺部の細径部はストレート部を介してＣ字状部に連接し、ストレート部と細径部の軸線は一致し、穿刺杆の頂点は軸線よりＣ字状部側に偏位して位置し、そして前記太径部の挿入孔は真円である請求項１に記載の牛の鼻輪。
【請求項３】
前記穿刺部の係合部は楕円盤状である請求項１又は２に記載の牛の鼻輪。
【請求項４】
前記穿刺部の係合部の端面は細径部に傾斜して形成されている請求項１又は２のいずれかに記載の牛の鼻輪。
【請求項５】
前記太径部には肉盗み孔が設けられ、肉盗み孔の壁面は収納部に面している請求項１乃至４に記載の牛の鼻輪。
【請求項６】
前記Ｃ字状部の中間部には肉薄部が形成されている請求項１乃至５のいずれかに記載の牛の鼻輪。
【請求項７】
前記大径部の挿入孔の周囲の壁面の半径方向外方の寸法が半径方向内方の寸法より小さい請求項１乃至３のいずれかに記載の牛の鼻輪。
【発明の詳細な説明】
【技術分野】
【０００１】
本発明は、硬質プラスチック等の可撓性材料でＣ字状に形成され、Ｃ字状の一端に形成した穿刺杆を他端に形成した挿入孔に挿入する牛の鼻輪に関する。
【背景技術】
【０００２】
硬質プラスチック等の可撓性材料で一体成形された牛の鼻輪は、穴あけと装着が一度でできるので牛の苦痛が少なく、その牛専用なので病気を感染することがなく、広く実施されている。
【０００３】
図１４に示すように、従来の牛の鼻輪２１は、Ｃ字状部２２と、Ｃ字状部２２の一端に形成された穿刺部２３と、その他端に形成された太径部２４とで構成され、これらは硬質プラスチック等の可撓性材料で一体成形されている。そして、穿刺部２３は、細径部２５と、真円盤状の係合部２６と、円錐状の穿刺杆２７で構成され、細径部２５の軸線上に穿刺杆２７の頂点が位置している。また、太径部２４には、真円の挿入孔２８と、係止部２９と、収納部３０が形成されている。
【０００４】
図１５に示すように、牛の鼻輪２１の穿刺部２３と太径部２４を鼻輪取付具３１に止め、牛の鼻孔に挿入し、鼻輪取付具３１のレバー３２を閉じて牛に装着する。その際に穿刺部２３は軟骨で形成された牛の鼻腔を貫通して挿入孔２８に挿入される。
【０００５】
このように専用の鼻輪取付具３１を使用して行なうが、比較的に強い力が必要で、力が弱い人では牛への装着が困難である。また、Ｃ字状部２２の先端に穿刺部２３が形成され、穿刺部２３の細径部２５の軸線上に穿刺杆２７の頂点が位置しているので、牛への装着時に穿刺杆２７の先端が上方を向き、牛の鼻孔肉を大きく傷つけることがある。さらに、真円盤状の係合部２６と係止部２９とを噛み合わせて牛の鼻輪の環状を保持するようにしているので、強い牛の引っ張り力により抜けることがある。
【特許文献１】特開平１−１５７３２３号
【発明の開示】
【発明が解決しようとする課題】
【０００６】
本発明は上記に鑑みてなされたもので、比較的に弱い力でも装着でき、係合部と係止部の噛合を確実として、強い力で引っ張られても抜けることがない牛の鼻輪を提供することを目的としている。
【課題を解決するための手段】
【０００７】
本発明の牛の鼻輪によれば、Ｃ字状部２の一端に穿刺部３を他端に太径部４を形成し、穿刺部３には細径部７と、係合部８と、穿刺杆９が設けられ、太径部４には穿刺杆９が挿入する挿入孔１２と、係合部８を係止する係止部１３と、穿刺杆９の収納部１４が設けられ、そして太径部４の挿入孔１２の壁面１６には複数のＵ字溝１７が形成されている。
【０００８】
そして、前記穿刺部３の細径部７はストレート部６を介してＣ字状部２に連接し、ストレート部６と細径部７の軸線Ｌ１は一致し、穿刺杆９の頂点１０は軸線Ｌ１よりＣ字状部２側に偏位して位置し、そして前記太径部４の挿入孔１２は真円である。
【０００９】
また、前記穿刺部３の係合部８は楕円盤状である。
さらに、前記穿刺部３の係合部８の端面は細径部７に傾斜して形成されている。
【００１０】
そして、前記太径部４には肉盗み孔１８が設けられ、肉盗み孔１８の壁面１９は収納部１４に面している。
また、Ｃ字状部２の中間部には肉薄部５が形成されている。
さらに、前記大径部の挿入孔の周囲の壁面の半径方向外方の寸法が半径方向内方の寸法より小さく形成されている。
【発明の効果】
【００１１】
（１）  挿入孔の壁面には複数のＵ字溝が形成されているので、穿刺杆の貫入が容易となり、比較的に弱い力でも牛の鼻輪を取り付けることができるようになる。
（２）  穿刺杆の頂点は、ストレート部と細径部の軸線よりＣ字状部側に偏位して位置しているので、取り付け時に、穿刺杆の先端が挿入孔に正向し、鼻腔肉を傷つけが少なくてすむ。
（３）  穿刺部の細径部はストレート部を介してＣ字状部に連接しているので、取り付け後の引っ張り力は、軸線方向へ強く掛かり抜け難くなる。
（４）  取り付け後の引っ張り力により、牛の鼻輪を開こうとする力が強く掛かるが、係合部は楕円盤状であるので、係合部の長径部分が係止部に強く噛み、抜けにくくなる。
（５）  取り付け後の引っ張り力により、牛の鼻輪を開こうとする力が強く掛かるが、穿刺部の係合部の端面は細径部に傾斜して形成されているので、係合部は係止部に面接触となり、抜け難くなる。
（６）  肉盗み孔の壁面は収納部に面しているので、挿入孔を貫通した穿刺杆は壁面に当接して衝撃が緩和され、取り付け時の牛への刺激を和らげることができる。
（７）  Ｃ字状部の中間部には肉薄部が成形されているので、撓み易くなり、比較的に弱い力で牛の鼻輪を取り付けられる。
【発明を実施するための最良の形態】
【００１２】
図１は、本発明の牛の鼻輪の一部を断面で示す全体図である。牛の鼻輪１はＣ字状部２と、Ｃ字状部２の一端に形成された穿刺部３と、他端に形成された太径部４で構成されている。この牛の鼻輪１は硬質プラスチック等の可撓性材料で、一体成形されている。そして、牛の鼻輪１のＣ字状部２の中間部には、肉薄部５が形成されている。
【００１３】
牛の鼻輪１の穿刺部３は、円柱状のストレート部６と、円柱状の細径部７と、正面から見て楕円盤状の係合部８と、円錐状の穿刺杆９で構成され、ストレート部６と細径部７と係合部８の軸線Ｌ１は一致し、穿刺杆９の頂点１０は軸線Ｌ１から偏位して位置している。そして、ストレート部６はＣ字状部２に連接し、連接部分に取付係合部１１が成形されている。このストレート部６を設けることにより穿刺部３の係合部に対し、引張り力が均等に作用する。そのために不慮の離脱を防止できる。
【００１４】
なお、図２に示すように、係合部８の楕円の長軸Ｌ２はＣ字状部２の方向であり、頂点１０はＣ字状部２側（図１の下側）に偏位している。
【００１５】
図３、４にも示すように、牛の鼻輪１の太径部４には、穿刺杆９が挿入する真円の挿入孔１２と、係合部８を係止する真円の係止部１３と、穿刺杆９を収納する収納部１４と、取付係合部１５が設けられている。そして、挿入孔１２が形成されている周囲の壁面１６には複数のＵ字溝１７が形成され、収納部１４の奥方には肉盗み孔１８の壁面１９が位置している。
【００１６】
次に、牛の鼻輪１の牛の鼻への取り付けについて説明する。図１４、１５に基づいて「背景技術」で説明したものと同様に、突刺部３の取付係合部１１を鼻輪取付具３１の一方に係合し、太径部４の取付係合部１５を鼻輪取付具３１の他方に係合して装着する。そして、牛の鼻腔に挿入して鼻輪取付具３１のレバー３２を閉じて取り付ける。
【００１７】
図５に示すように、鼻輪取付具３１のレバー３２の閉じ始めは、Ｃ字状部２の曲がりのために、穿刺部３の軸線Ｌ１は太径部４の挿入孔１２より上方（すなわちＣ字状部に対して半径方向外方）を向いているが、穿刺杆９の頂点１０は軸線Ｌ１の下方、すなわちＣ字状部２に対して半径方向内方に位置しているので、頂点１０は挿入孔１２に真直ぐな方向に向き、牛の鼻腔肉を傷つける量が少なくてすむようになる。
【００１８】
そして、鼻輪取付具３１のレバー３２を閉じると、穿刺杆９は牛の鼻腔肉を貫通し、太径部４の挿入孔１２を貫けて収納部１４に収まる。穿刺杆９が太径部４の挿入孔１２を貫けるときに、挿入孔１２の壁面１６には複数のＵ字溝１７があるので、壁面１６は広がりやすく、比較的に弱い力で取り付けることができる。なお、Ｕ字状溝１７は、２個以上の複数個あれば同様の効果が得られる。
【００１９】
図６は穿刺杆９の頂点１０が軸線Ｌ１上に位置している場合の不都合な理由を説明するための図であり、図７は頂点１０を軸線Ｌ１の下側（Ｃ字状部の半径方向内方）に位置したための効果を示す図である。
図６に示すように特にストレート部６があると穿刺杆９はどうしても上向きの姿勢をとることになる。そこで図７に示すように穿刺杆９の頂点１０を軸線Ｌ１より下側に位置させると、牛の鼻腔Ｂを突き刺すとき、すなわちＣ字状部に対して半径方向内方に下向きに変位し、その結果、確実に挿入孔１２に挿入される。
【００２０】
また、穿刺杆９が挿入孔１２を貫ける勢いで、穿刺杆９は収納部１４の壁面１９に強く当たるが、この壁面１９には盗み孔１８が形成されているので、衝撃が緩和され、取り付け時の牛への悪影響を減らすことができる。
【００２１】
さらに、取り付け後に牛に強く引っ張られると、牛の鼻輪１を開く方向への力が強く掛かるが、穿刺部３の係合部８が楕円盤状であるので、係合部８の長径Ｌ２方向の部分が太径部４の係止部１３に強く噛み、抜けにくくなる。
【００２２】
また、穿刺部３はストレート部６を介してＣ字状部に連接されているので、取り付け後に牛に強く引っ張られたときに、軸線Ｌ１方向に引っ張り力が多く掛かるようになり抜けにくくなる。
【００２３】
なお、上述した実施の形態では、穿刺部３の係合部８を楕円盤状に形成し、太径部４の挿入孔１２及び係止部１３を真円として抜けを防止しているが、穿刺部３の係合部８を真円盤状とし、太径部４の挿入孔１２及び径止部１３を楕円としても、同様に抜けを防止することができる。
【００２４】
図８は穿刺部３の他の実施の形態で、上述した実施の形態と同一部分に同一番号を付して説明する。牛の鼻輪１の穿刺部３は、円柱状のストレート部６と、円柱状の細径部７と、円盤状の係合部８と、円錐状の穿刺杆９で構成されている。そして、この実施の形態では、係合部８の端面は細径部７に斜めに形成されている。すなわち係合部８の半径方向外方の巾寸法８ａは半径方向内方の巾寸法８ｂより小さくなっている。
【００２５】
従来例のものおよび単にストレート部６を設けたものでは図６でも説明した通り、穿刺部３が上を向く傾向があり、そのために太径部４に穿刺部３が係合しても図９に示す通りＣ字状部２２の半径方向内方に係止部１３と係合部８との間に隙間Ｓが生ずる。そのための引き抜き荷重が掛かると、Ｃ字状部２２の半径方向外方の係合部８および細径部７に荷重が集中し、伸びが発生する。そのために抜け荷重が小さくなる。この欠点を除くために図８および下記の図１０に示すように、牛に強く引っ張られると、牛の鼻輪１は開く方向への力が強く掛かり、係合部８と係止部１３の対向面は面接触となり、強固に噛み合い抜けにくくなる。
【００２６】
図１１は本発明の別の実施例を示し、図９、図１０の実施例では円盤状の係合部８の半径方向外方と内方との巾寸法を変えて強く引張られたときの係合を確実にしたが、この実施例では反対側の大径部４の挿入孔１２の周囲の壁面１６の半径方向外方の寸法ｌ３ａを半径方向内方の寸法ｌ３ｂより小さくしたものである。このようにしても同じ作用効果が得られる。
【００２７】
本発明の実施に際して、図１０、図１１の実施例では必ずしもストレート部６を設けなくてもよい。その例が図１２、図１３に示されている。
図１２は図１０のＣ字状部２にストレート部６を設けない場合であり、図１３は図１１のストレート部６を設けない場合である。
このように、比較的に応力が生じやすい所を肉厚とすることにより、丈夫な鼻輪を提供できる。
【００２８】
なお、本発明の実施に際して上述した実施例を示す図面に基づいて種々の組合せが可能である。例えば図８の実施例の係合部８を形状としてもよく、図９、図１０の実施例と図１１の実施例とを組合せてもよい。
【産業上の利用可能性】
【００２９】
比較的に弱い力で装着でき、装着後に抜けることがないので、牛の飼育管理が容易となる牛の鼻輪が提供できる。
【図面の簡単な説明】
【００３０】
【図１】本発明の牛の鼻輪の一部を断面で示す全体図。
【図２】図１におけるＡ−Ａ矢視図。
【図３】図１におけるＢ−Ｂ矢視図。
【図４】図１におけるＣ−Ｃ矢視図。
【図５】牛の鼻輪の取り付け直前の状態を示す一部断面図。
【図６】穿刺杆の頂点が軸線上に位置していると不都合であることを示す説明図。
【図７】穿刺杆の頂点が下向きに位置している場合の効果を示す説明図。
【図８】他の実施の形態の牛の鼻輪の穿刺部の側面図。
【図９】従来の鼻輪を取り付けた状態が不都合なことを示す部分断面側面図。
【図１０】同上の牛の鼻輪に引っ張り力が掛かった状態の部分断面側面図。
【図１１】別の実施形態の牛の鼻輪の大径部の断面図で、穿刺部が係合したところを示している。
【図１２】図１０の変形例を示す部分断面側面図。
【図１３】図１１の変形例を示す部分断面側面図。
【図１４】従来の牛の鼻輪の側面図。
【図１５】牛の鼻輪を鼻輪取付具に装着した図。
【符号の説明】
【００３１】
１・・・牛の鼻輪
２・・・Ｃ字状部
３・・・穿刺部
４・・・太径部
５・・・肉薄部
６・・・ストレート部
７・・・細径部
８・・・係合部
９・・・穿刺杆
１０・・・頂部
１１・・・取付係合部
１２・・・挿入孔
１３・・・係止部
１４・・・収納部
１５・・・取付係合部
１６・・・壁面
１７・・・Ｕ字溝
１８・・・肉盗み孔
１９・・・壁面
３１・・・鼻輪取付具
３２・・・レバー
Ｌ１、Ｌ２・・・軸線
Ｓ・・・隙間
【図１】
2010088397.tif 000003
【図２】
2010088397.tif 000004
【図３】
2010088397.tif 000005
【図４】
2010088397.tif 000006
【図５】
2010088397.tif 000007
【図６】
2010088397.tif 000008
【図７】
2010088397.tif 000009
【図８】
2010088397.tif 000010
【図９】
2010088397.tif 000011
【図１０】
2010088397.tif 000012
【図１１】
2010088397.tif 000013
【図１２】
2010088397.tif 000014
【図１３】
2010088397.tif 000015
【図１４】
2010088397.tif 000016
【図１５】
2010088397.tif 000017